(57)【要約】【課題】  収穫した人参等の作物を洗浄して重量や形状毎に選別する作物洗浄選別施設に関して、施設を構成する個々の装置を合理的に配置することで、狭いスペースの中に設置できるコンパクトな作物洗浄選別施設にすることを課題とする。【解決手段】  作物を洗浄する洗浄装置や、作物を重量又は形状毎に選別する選別装置や作物を搬送する各種搬送装置とを備えた作物洗浄選別施設において、平面視で施設全体が略Ｌ字型か略コの字型になるよう各部装置を配置する事により、狭いスペース内に作物洗浄選別施設全体を収容することができるようにした。【選択図】図９
2005087092.tif 000002
【特許請求の範囲】
【請求項１】
投入した作物を搬送する搬送装置と、該搬送装置で搬送された作物を移送しながら洗浄する洗浄装置と、該洗浄装置で洗浄された作物を整列しながら搬送する整列搬送装置と、該整列搬送装置で整列搬送した作物を重量又は大きさ毎に選別する選別装置とを、搬送装置、洗浄装置、整列搬送装置、選別装置の順で直列に配置した作物洗浄選別施設において、前記搬送装置から前記選別装置までの作物の移送経路を屈曲させたことを特徴とする作物洗浄選別装置。
【請求項２】
投入した作物を搬送する搬送装置と、該搬送装置で搬送された作物を移送しながら洗浄する洗浄装置と、該洗浄装置で洗浄された作物を整列しながら搬送する整列搬送装置と、該整列搬送装置で整列搬送した作物を重量又は大きさ毎に選別する選別装置とを、搬送装置、洗浄装置、整列搬送装置、選別装置の順で直列に配置した作物洗浄選別施設において、前記洗浄装置から前記整列搬送装置への作物の移送経路を平面視で屈曲させて、搬送装置、洗浄装置、整列搬送装置、選別装置を平面視で略Ｌ字状になるように配置したことを特徴とする作物洗浄選別施設。
【請求項３】
作物を投入する投入タンクと、投入タンクに投入した作物を搬送する搬送装置と、該搬送装置で搬送された作物を移送しながら洗浄する洗浄装置と、該洗浄装置で洗浄された作物を整列しながら搬送する整列搬送装置と、該整列搬送装置で整列搬送した作物を重量又は大きさ毎に選別する選別装置とを、投入タンク、搬送装置、洗浄装置、整列搬送装置、選別装置の順で直列に配置した作物洗浄選別施設において、前記洗浄装置から前記整列搬送装置への作物の搬送経路を平面視で屈曲させて、投入タンク、搬送装置、洗浄装置、整列搬送装置、選別装置を平面視で略コ字状になるように配置したことを特徴とする作物洗浄選別施設。
【請求項４】
前記選別装置は、前記投入タンクが配置されている側とは反対側に選別した作物を排出するように構成したことを特徴とする請求項３記載の作物洗浄選別施設。
【請求項５】
前記選別装置は、前記投入タンクが配置されている側に選別した作物を排出するように構成したことを特徴とする請求項３記載の作物洗浄選別施設。
【請求項６】
前記搬送装置と前記洗浄装置は、前記選別装置の作物移送終端部より移送上手側に偏倚して配置したことを特徴とする請求項５記載の作物洗浄選別施設。
【発明の詳細な説明】
【技術分野】
【０００１】
本発明は、収穫した人参や大根等の作物を洗浄する洗浄装置や、重量や形状毎に選別する選別装置等から構成する作物洗浄選別施設に関するものである。
【背景技術】
【０００２】
上記の技術分野に関して、例えば特開平６−７０７３２号公報には洗浄した作物を重量選別装置まで搬送し、選別装置で選別する技術が開示されている。
しかしながら、この作物洗浄選別施設においては、全ての装置を連続的に一列に配置するというものであり、これらを設置するには相当に広いスペースを要するものであり、例えば個人が所有する比較的狭い倉庫や納屋にこれら装置を設置するのは困難である。
【特許文献１】特開平６−７０７３２号公報
【発明の開示】
【発明が解決しようとする課題】
【０００３】
本発明は、作物洗浄選別施設を構成する個々の装置を合理的に配置することで、狭いスペースの中に設置できるコンパクトな作物洗浄選別施設にすることを課題とする。
【課題を解決するための手段】
【０００４】
本発明は、上記課題を解決するために次の技術的手段を用いる。
すなわち、請求項１記載の発明においては、投入した作物を搬送する搬送装置と、該搬送装置で搬送された作物を移送しながら洗浄する洗浄装置と、該洗浄装置で洗浄された作物を整列しながら搬送する整列搬送装置と、該整列搬送装置で整列搬送した作物を重量又は大きさ毎に選別する選別装置とを、搬送装置、洗浄装置、整列搬送装置、選別装置の順で直列に配置した作物洗浄選別施設において、前記搬送装置から前記選別装置までの作物の移送経路を屈曲させたことを特徴とする作物洗浄選別装置とする。
【０００５】
請求項２記載の発明においては、投入した作物を搬送する搬送装置と、該搬送装置で搬送された作物を移送しながら洗浄する洗浄装置と、該洗浄装置で洗浄された作物を整列しながら搬送する整列搬送装置と、該整列搬送装置で整列搬送した作物を重量又は大きさ毎に選別する選別装置とを、搬送装置、洗浄装置、整列搬送装置、選別装置の順で直列に配置した作物洗浄選別施設において、前記洗浄装置から前記整列搬送装置への作物の移送経路を平面視で屈曲させて、搬送装置、洗浄装置、整列搬送装置、選別装置を平面視で略Ｌ字状になるように配置したことを特徴とする作物洗浄選別施設とする。
【０００６】
請求項3記載の発明においては、作物を投入する投入タンクと、投入タンクに投入した作物を搬送する搬送装置と、該搬送装置で搬送された作物を移送しながら洗浄する洗浄装置と、該洗浄装置で洗浄された作物を整列しながら搬送する整列搬送装置と、該整列搬送装置で整列搬送した作物を重量又は大きさ毎に選別する選別装置とを、投入タンク、搬送装置、洗浄装置、整列搬送装置、選別装置の順で直列に配置した作物洗浄選別施設において、前記洗浄装置から前記整列搬送装置への作物の搬送経路を平面視で屈曲させて、投入タンク、搬送装置、洗浄装置、整列搬送装置、選別装置を平面視で略コ字状になるように配置したことを特徴とする作物洗浄選別施設とする作物洗浄選別施設とする。
【０００７】
請求項4記載の発明においては、前記選別装置は、前記投入タンクが配置されている側とは反対側に選別した作物を排出するように構成したことを特徴とする請求項３記載の作物洗浄選別施設とする。
【０００８】
請求項５記載の発明においては、前記選別装置は、前記投入タンクが配置されている側に選別した作物を排出するように構成したことを特徴とする請求項３記載の作物洗浄選別施設とする。
【０００９】
請求項６記載の発明においては、前記搬送装置と前記洗浄装置は、前記選別装置の作物移送終端部より移送上手側に偏倚して配置したことを特徴とする請求項５記載の作物洗浄選別施設とする。
【発明の効果】
【００１０】
請求項１記載の発明においては、洗浄装置と選別装置における作物の移送方向を屈曲することで、作物洗浄選別施設全体が直線状に配置することがなく、狭いスペース内に作物洗浄選別施設を構成する個々の装置を配置することが可能になる。
【００１１】
請求項２記載の発明においては、平面視で作物洗浄選別施設全体を略L字型になるよう構成したことで、作物洗浄選別施設全体が直線状に配置することがなく、比較的狭いスペース内に作物洗浄選別施設を構成する個々の装置を配置することが可能になる。また、L字型の内側にはスペースが生まれることから、そのスペースを利用して作物を投入する作業や、選別した作物を回収する作業を同じスペースで行うことができるため、作業性が向上する。
【００１２】
請求項３記載の発明においては、平面視で作物洗浄選別施設全体を略コの字型になるよう構成したことで、狭いスペースの中に作物洗浄選別施設を構成する個々の装置を集中的に配置することが可能になり、作物洗浄選別施設全体をコンパクトなものにすることができる。また、平面視で略四角形のスペース内に配置することができるから、いろいろな場所に配置しやすい。
【００１３】
請求項４記載の発明においては、請求項３記載の作物洗浄選別施設の選別装置における作物の回収口を投入タンクとは反対側の位置に備えることで、選別装置と投入タンクとの間隔をより少なく密接した状態で配置することが可能になるため、より狭いスペース内に作物洗浄選別施設を構成する個々の装置を集中的に配置することが可能になり、作物洗浄選別施設全体をコンパクトなものにすることができる。
【００１４】
請求項５記載の発明においては、請求項３記載の作物洗浄選別施設の選別装置における作物の回収口を投入タンク側に備えることで、請求項３記載の効果を奏するものでありながら、投入タンクへの作物の投入作業と、回収口からの作物回収作業とを同じ方向から行うことが可能になるため、作業性が向上する。
【００１５】
請求項６記載の発明においては、選別装置における作物の回収口を投入タンク側に備えることで、投入タンクへの作物の投入作業と、回収口からの作物回収作業とを同じ方向から行うことが可能になるため、作業性が向上するものでありながら、搬送装置と洗浄装置は選別装置の作物移送終端部より移送上手側に偏倚して備えることで、回収口の周辺には回収作業のためのスペースができるため、投入作業と回収作業とがそれぞれ作業しやすい。
【発明を実施するための最良の形態】
【００１６】
本発明の実施の形態について、以下に図面に基づいて説明する。
まず図１の洗浄選別工程図に基づいて本発明の作物洗浄選別施設全体の作業順序及び構成について説明する。
【００１７】
Aは収穫した作物を投入する投入タンクで、投入タンクA内に投入された作物は搬送装置Bで搬送され洗浄装置Cに供給される。そして、洗浄装置Cで洗浄た作物は排出経路Dに排出され、ついで、貯留タンクEに一時貯留される。そして、貯留タンクE内の作物を昇降装置Fにて整列装置Gに搬送され、整列装置Gで作物は搬送姿勢を変更して整列しながら、選別装置Hに供給される。そして選別装置Hで作物は重量や形状等で選別される。なお、投入タンクAに作物を投入してから選別装置Hで選別された作物を回収するまで、作物は連続して、且つ自動的に各装置を工程順に移送されるものである。
【００１８】
次に図２から図８に基づいて作物洗浄選別施設を構成する装置それぞれについて説明する。
搬送装置Bは昇降型の搬送ベルト１に仕切板１ａを取り付けた構成で、搬送ベルト１は投入タンクＡ内に投入された作物を仕切板１ａで汲み上げ洗浄装置Ｂまで搬送する。
【００１９】
洗浄装置Ｃは図２から図４に示すように、機枠２で支持している洗浄タンク２ａ内には、作物を洗浄しながら移送する複数の洗浄ロール３を作物供給側Ｋから作物排出側Ｌ方向に沿って軸支している。複数の洗浄ロール３を正面視でＵの字型に配置することで１つの洗浄移送経路Ｃ１を形成しており、本実施例では洗浄移送経路C１と同様の構成の洗浄移送経路Ｃ２をＣ１と並列して備えることで２列の洗浄移送経路を形成している。
【００２０】
洗浄ロール３は、その表面をブラシ状に形成すると共に、作物供給側に備えるチェーン６ａ、６ｂを駆動モータＭ１、Ｍ２と駆動プーリ７ａ…、７ｂ…にそれぞれ巻回することにより回転するよう構成している。そして、作物供給側Ｋが作物排出側Ｌより高い位置になるよう傾斜して配置しており、角度調節ハンドル４を調節すると洗浄タンク２ａと共に傾斜角度が変更する。
【００２１】
また、８は清掃板で洗浄移送経路Ｃ１、Ｃ２毎に備えており、ハンドル９を回動操作すると、ネジ状に形成している軸１０が回動し、洗浄ロール３上を沿うように移動するよう構成している。
【００２２】
１１はシャワーで洗浄タンク２ａ内に洗浄水を注入している。そして、１２は開閉蓋で上端を支点に回動自在に構成している。なお、洗浄タンク２ａ内の洗浄水を排水する排水口と、洗浄水の水源については図示を省略する。
【００２３】
洗浄装置Ｃの作用について説明すると、搬送ベルト１で搬送された作物は、２つの洗浄移送経路Ｃ１、Ｃ２の作物供給側Ｋにそれぞれ振り分けられて供給され、洗浄ロール３のブラシと洗浄水の作用を受けて作物表面に付着している泥を除去されながら、作物排出側Lに順次移送されていく。そして、開閉蓋１２を自ら押し開け排出経路Ｄに向かって排出される。そして、排出経路Ｄを経て貯留タンクＥに一時貯留される。
【００２４】
そして、洗浄作業が終了すると、作業者はハンドル９を操作することにより清掃板８を移動させ、洗浄ロール３上に残っている作物を掻き寄せて回収する。
次に図５、図６に基づいて、整列装置Ｇについて説明する。
【００２５】
整列装置Ｇは両側に形成する側壁１５と中央に山型に形成する振分板１６と、側壁１５と振分板１６との間には三本の整列ベルト１７ａで一つの整列通路Ｇ１を形成し、本実施例は整列ベルト１７ａと整列ベルト１７ｂとを同軸１７ｃで回転させ、整列通路Ｇ２をも形成している。なお、側壁１５と振分板１６にはそれぞれ還元口１５ａを開口して形成し、還元口１６ａと貯留タンクＥとの間を還元通路１９で連通している。
【００２６】
なお、本実施例では貯留タンクＥと昇降装置Ｆと整列装置Ｇとを機枠Ｐで一体的に構成している。
整列装置Ｇの作用について説明すると、まず、貯留タンクＥで一時貯留された作物を昇降装置Ｆで搬送し、振分板１６で振分ながら整列装置Ｇの二つの整列通路Ｇ１、Ｇ２にそれぞれ供給される。整列ベルト１７ａ、１７ｂは、図６の（ロ）に示すようにそれぞれ作物が一本ずつ、かつ縦向きにしか搬送されないぐらいの幅にわたって配置しており、作物は整列ベルト１７ａ、１７ｂで横向きの作物は縦向きに姿勢を変更しながら一本ずつ搬送され、選別装置Ｈに供給される。複数個の作物が横方向に固まった状態で整列ベルトを搬送すると、還元口１５ａ、１６ａから落下することで一本ずつが搬送される。そして、還元口１５ａ、１６ａから落下した作物は還元通路１９を流下して貯留タンクＥに還元される。
【００２７】
次に選別装置Ｈについて図７、図８に基づいて説明する。
選別装置Ｈは、整列装置Ｇの整列通路Ｇ１、Ｇ２に対応して、並列してベルトコンベア２０ａ、２０ｂを備え、各ベルトコンベア毎には搬送中の作物の重量を重量ランク毎に計量するの計量装置２１ａ、２１ｂと、計量装置２１ａ、２１ｂがあらかじめ設定している重量であることを判別する判別手段（図示せず）と、判別手段の指令により搬送している作物をベルトコンベア２０ａ、２０ｂからはじき出す回動選別板２２ａ、２２ｂとをそれぞれに備えている。
【００２８】
なお、ベルトコンベア２０ａ、２０ｂはモータ（図示せず）の動力を受けた駆動輪２３ａ、２３ｂがベルトを押出すように回転駆動している。
ベルトコンベア２０ａ、２０ｂの間には、回動選別板２２ａ、２２ｂではじき出した作物が入り込む回収通路２４を重量ランク毎にそれぞれ形成している。回収通路２４は、ベルトコンベア２１ａか２１ｂのいずれかの周回軌跡内のスペースを貫通し、その回収通路終端側にはそれぞれ回収口２５を設け、回収口２５の下方には回収容器２６を回収口２５毎に置いている。
【００２９】
ベルトコンベア２１ａ、２１ｂの搬送終端部の下方には、いずれの計量装置２１ａ、２１ｂでも判別できなかった作物を収容する収容容器２７を置いている。
選別装置Ｃの作用について説明すると、ベルトコンベア２０ａ、２０ｂで搬送中の作物は計量装置２１ａ、２１ｂであらかじめ設定している計量であるか否かを測定され、判別手段が当該作物をあらかじめ設定している計量であると判別すると、回動選別板２２ａ、２２ｂが縦軸周りに回動し作物をはじき出し、作物は回収通路２４に入り込み、次いで、回収容器２６に落下し重量毎に収容される。
【００３０】
なお、ベルトコンベア２０ａ、２０ｂで搬送した作物がいずれの計量装置２１ａ、２１ｂに設定している計量でなく、回動選別板２２ａ、２２ｂではじき出されなかった作物は、ベルトコンベア２０ａ、２０ｂの搬送終端部より落下し、収容容器２７で収容される。
【００３１】
次に、図９から図１３に基づいて、投入タンクＡから選別装置Ｃに至るまでの作物洗浄選別施設を構成する装置のレイアウトについて説明する。
図9の作物洗浄選別施設について説明すると、搬送装置Ｂに隣接する位置に洗浄装置Ｃの作物供給側Ｋを配置することで、作物移送方向Ｒに沿って投入タンクＡ、搬送装置Ｂ、洗浄装置Ｃを一列に配置する。そして、洗浄装置Ｃの作物排出側Ｌには排出経路Ｄを作物移送方向Ｒ側とは交差する方向Ｓに向かって作物が移送するよう屈曲して形成する。
【００３２】
排出経路Ｄの排出終端側には貯留タンクＥを配置しており、貯留タンクＥより作物移送方向Ｒと反対方向Ｔに向かって昇降装置Ｆを配置する。そして、昇降装置Ｆより作物移送方向Ｔに向かって整列装置Ｇ、選別装置Ｈを一列に配置し、選別装置Ｈで選別した作物を回収する回収口２５及び回収容器２６は投入タンクＡ、搬送装置Ｂ、洗浄装置Ｃとは反対側になるよう配置する。
【００３３】
すると、作物洗浄選別施設の作物移送方向はＲ→Ｓ→Ｔと平面視で略コの字型を描いており、作物洗浄選別施設全体の配置も平面視で略コの字型になっている。
図９のように施設全体を平面視で略コの字型になるよう各装置を配置することで、狭いスペースの中に作物洗浄選別施設を構成する個々の装置を集中的に配置することが可能になり、作物洗浄選別施設全体をコンパクトなものにすることができる。また、平面視で略四角形のスペース内に配置することができるから、いろいろな場所に配置しやすい。
【００３４】
また、作物の回収口２５、回収容器２６を投入タンクＡとは反対側の位置に備えることで、選別装置Ｈと投入タンクＡとの間隔をより少なく密接した状態で配置することが可能になるため、より狭いスペース内に作物洗浄選別施設を構成する個々の装置を集中的に配置することが可能になり、作物洗浄選別施設全体をコンパクトなものにすることができる。
【００３５】
図１０においては、回収口２５及び回収容器２６を投入タンクＡ側に配置したという点が図９とは異なり、この場合でも、図９の場合と同様に、施設全体を平面視で略コの字型になるため、狭いスペースの中に作物洗浄選別施設を構成する個々の装置を集中的に配置することが可能になり、かつ、施設全体を平面視で略四角形のスペース内に配置することができるためいろいろな場所に配置しやすいものになる。また、投入タンクＡ側に回収口２５及び回収容器２６を配置するため、投入タンクＡへの作物の投入作業と、回収容器２６に回収した作物の搬出作業の両方を同じ方向から行うことができるため、作業性が向上する。
【００３６】
図１１においては、投入タンクＡ、搬送装置Ｂ、洗浄装置Ｃが選別装置Ｈの作物移送終端側より移送上手側、すなわち、平面視で左右一側（本実施例では右側）に偏倚して配置している点が図１０とは異なり、図１０に比べて回収容器２６の周辺にスペースＶが発生している。そのため、施設全体を平面視で略コの字型になるため、狭いスペースの中に作物洗浄選別施設を構成する個々の装置を集中的に配置することが可能になると共に、投入タンクＡへの作物の投入作業と、回収容器２６に回収した作物の搬出作業の両方を同じ方向から行うことができる。そして、この投入作業及び搬出作業それぞれが充分なスペースを有することが可能になり、投入作業及び搬出作業それぞれの作業性が向上する。
【００３７】
図１１においては、図１２のように洗浄装置Ｃを作物移送方向Ｓに、選別装置Ｈを作物移送方向Ｔになるよう屈曲する方向に、配置しても良い。この場合には排出経路Ｄを屈曲形成する必要が無く、洗浄した作物をスムーズに次工程の装置に、すなわち、本実施例では貯留タンクＥに排出することができる。
【００３８】
また、図１２の投入タンクＡの配置位置を変更し、図１３のように、投入タンクＡ、搬送装置Ｂ，洗浄装置Ｃ、排出経路Ｄを作物移送方向Ｓに沿ってそれぞれ一列に配置し、貯留タンクＥ、昇降装置Ｆ、整列装置Ｇ、選別装置Ｈを作物移送方向Ｔに沿ってそれぞれ一列して配置し、施設全体が平面視で略Ｌ字型になるよう構成しても良い。
【００３９】
なお、本実施例の作物洗浄選別施設では、排出経路Ｄと整列装置Ｇとの間の工程には貯留タンクＥと昇降装置Ｆとを備えているが、排出経路Ｄを直接整列装置Ｇに接続するよう構成することも可能である。
【図面の簡単な説明】
【００４０】
【図１】作物洗浄選別施設の作業工程図
【図２】側面から見た洗浄装置を説明する図
【図３】洗浄装置の内部を説明する斜視図
【図４】正面から見た洗浄装置を説明する図
【図５】整列装置、選別装置の側面図
【図６】整列装置の内部を説明する斜視図
【図７】側面から見た選別装置を説明する図
【図８】選別装置の断面図
【図９】作物洗浄選別施設の平面図
【図１０】作物洗浄選別施設の平面図
【図１１】作物洗浄選別施設の平面図
【図１２】作物洗浄選別施設の平面図
【図１３】作物洗浄選別施設の平面図
【符号の説明】
【００４１】
Ａ  投入タンク
Ｂ  搬送装置
Ｃ  洗浄装置
Ｄ  排出経路
Ｅ  貯留タンク
Ｆ  昇降装置
Ｇ  整列装置
Ｈ  選別装置
２５  回収口
２６  回収容器
【図１】
2005087092.tif 000003
【図２】
2005087092.tif 000004
【図３】
2005087092.tif 000005
【図４】
2005087092.tif 000006
【図５】
2005087092.tif 000007
【図６】
2005087092.tif 000008
【図７】
2005087092.tif 000009
【図８】
2005087092.tif 000010
【図９】
2005087092.tif 000011
【図１０】
2005087092.tif 000012
【図１１】
2005087092.tif 000013
【図１２】
2005087092.tif 000014
【図１３】
2005087092.tif 000015